(57)【特許請求の範囲】
【請求項１】
フィールドに設けられる知的空調制御システムであって、
前記フィールド内における異なるエリアにそれぞれ設けられ、各前記エリアに対応する環境情報をそれぞれ検出する複数の検出装置と、
前記複数の検出装置と無線接続され、前記複数の検出装置によって検出される前記環境情報を受信する知的制御装置であって、前記知的制御装置は前記知的制御装置の周囲の前記環境情報を検出する室内環境検出ユニットを有する知的制御装置と、
前記知的制御装置と無接続され、前記知的制御装置の制御命令を受信して作動する空調機器と、を備え、
前記知的制御装置は、
前記環境情報に基づいて前記フィールド内の環境温度が均一かつ全体が非快適な環境であると判断した場合、前記空調機器に対して、前記制御命令によって快適な範囲となるように予定達成温度を調整する制御を行う一方、
前記環境情報に基づいて前記フィールド内の環境温度が均一ではなくかつ特定エリアが前記非快適な環境であると判断した場合、前記複数の検出装置によって前記特定エリアの位置を決定するとともに、前記空調機器に対して、前記制御命令により前記特定エリアの位置について調整が行われるように制御し、
前記室内環境検出ユニットが検出した前記環境情報の室内温度と、前記複数の検出装置の一つが検出した前記環境情報の室内温度との温度差が所定の予定値よりも大きい場合、前記フィールド内の環境温度が均一でないと判断すること
を特徴とする知的空調制御システム。
【請求項２】
前記複数の検出装置は、少なくとも周囲の前記環境情報を検出するための温湿度センサーを有するビーコン装置を有し、
前記ビーコン装置は、低消費電力ブルートゥース（Ｂｌｕｅｔｏｏｔｈ  Ｌｏｗ  Ｅｎｅｒｇｙ、ＢＬＥ）転送プロトコルによって前記知的制御装置と無線接続され、
前記環境情報は、少なくとも室内温度情報および室内湿度情報を含むことを特徴とする請求項１に記載の知的空調制御システム。
【請求項３】
前記複数の検出装置は、少なくとも低消費電力ブルートゥース転送プロトコルによって前記知的制御装置と無線接続され、前記フィールドにおける利用者の利用者情報を検出する利用者情報検出携帯装置を有し、
前記知的制御装置は、前記環境情報および前記利用者情報に基づいて前記フィールド全体が前記非快適な環境であるか否かを判断するとともに、且つ前記環境情報および前記利用者情報に基づいて前記フィールドにおける前記特定エリアのみが前記非快適な環境であるか否かを判断することを特徴とする請求項１に記載の知的空調制御システム。
【請求項４】
前記利用者情報検出携帯装置は、スマートウォッチまたはスマートフォンであり、
前記利用者情報は、少なくとも前記利用者の体温および心拍を含むことを特徴とする請求項３に記載の知的空調制御システム。
【請求項５】
前記利用者情報検出携帯装置は、温度・湿度検出機能を有し、前記利用者の周囲の前記環境情報も検出することを特徴とする請求項４に記載の知的空調制御システム。
【請求項６】
前記室内環境検出ユニットによって検出される前記環境情報は、ＣＯ２含有量情報、微細浮遊粒子（ＰＭ２．５）含有量情報および総揮発性有機化合物（Ｔｏｔａｌ  Ｖｏｌａｔｉｌｅ  Ｏｒｇａｎｉｃ  Ｃｏｍｐｏｕｎｄ、ＴＶＯＣ）含有量情報をさらに含むことを特徴とする請求項１に記載の知的空調制御システム。
【請求項７】
前記知的制御装置は、快適さの定義が記録され、前記環境情報および利用者情報と前記快適さの定義とを照合して前記フィールドの全体が前記非快適な環境であるか否かを判断し、
前記複数の検出装置は、少なくとも前記フィールドにおける利用者の前記利用者情報を検出するための利用者情報検出携帯装置を有することを特徴とする請求項１に記載の知的空調制御システム。
【請求項８】
前記複数の検出装置は少なくとも一つのビーコン装置を有し、前記ビーコン装置は前記エリアの室内温度を検出する温湿度センサーを有し、
前記知的制御装置は、前記ビーコン装置の設置位置が記録され、前記室内環境検出ユニットによって検出された室内温度と前記ビーコン装置によって検出された室内温度との温度差が前記予定値よりも大きい場合、前記ビーコン装置が設けられた位置を前記特定エリアの位置と判断することを特徴とする請求項１に記載の知的空調制御システム。
【請求項９】
前記空調機器が前記特定エリアの位置について行う調整は、前記空調機器の風吐出方向、風速の大きさ、吸気量および排気量の調整を含むことを特徴とする請求項１に記載の知的空調制御システム。
【請求項１０】
フィールドに設けられ、知的制御装置と、空調機器と、前記フィールド内における異なるエリアにそれぞれ設けられ周囲の環境情報を検出するための複数の検出装置と、を備えた知的空調制御システムに用いられる制御方法であって、
a)前記知的制御装置が、前記複数の検出装置のそれぞれによって検出された各前記エリアに対応する前記環境情報を取得する環境情報取得ステップと、
a1)前記知的制御装置に設けられた室内環境検出ユニットを用いて前記知的制御装置の周囲の前記環境情報を検出するステップと、
b)前記環境情報に基づいて前記フィールド内の環境温度が均一か否かおよび前記フィールドが快適な環境であるか否かを判断する快適環境判断ステップと、
c)前記フィールドが前記快適な環境でないと判断した場合、前記フィールドの全体が非快適な環境であるか、および、前記フィールド内における特定エリアのみが前記非快適な環境であるかを判断する非快適環境判断ステップと、
d)前記フィールド内の環境温度が均一かつ前記フィールド全体が前記非快適な環境であると判断した場合、前記空調機器に対して、制御命令によって快適な範囲となるよう予定達成温度を調整する空調制御を行う第１空調機器調整制御ステップと、
e)前記フィールド内における環境温度が均一ではなくかつ前記特定エリアのみが前記非快適な環境であると判断した場合、前記特定エリアの位置を判断し、前記知的制御装置が前記室内環境検出ユニットが検出した前記環境情報の室内温度と前記複数の検出装置の一つが検出した前記環境情報の室内温度との温度差が所定の予定値よりも大きい場合、前記フィールド内の環境温度が均一でないと判断する特定エリア位置判断ステップと、
f)前記特定エリア位置判断ステップを行った後、前記空調機器に対して、前記制御命令により前記特定エリアの位置について調整が行われるよう空調制御する第２空調機器調整制御ステップと、を備えることを特徴とする制御方法。
【請求項１１】
前記第１空調機器調整制御ステップを行った後、前記知的制御装置は、前記フィールドの不快適の度合いに基づいて、前記空調機器に対して、風速の大きさを調整する空調制御を行う第３空調機器調整制御ステップをさらに備えたことを特徴とする請求項１０に記載の制御方法。
【請求項１２】
前記複数の検出装置は、少なくとも周囲の前記環境情報を検出するための温湿度センサーを有するビーコン装置を有し、
前記ビーコン装置は、低消費電力ブルートゥース（Ｂｌｕｅｔｏｏｔｈ  Ｌｏｗ  Ｅｎｅｒｇｙ、ＢＬＥ）転送プロトコルによって前記知的制御装置と無線接続され、
前記環境情報は、少なくとも室内温度情報および室内湿度情報を含むことを特徴とする請求項１０に記載の制御方法。
【請求項１３】
前記複数の検出装置は、少なくとも前記フィールドにおける利用者の利用者情報を検出する利用者情報検出携帯装置を有し、
前記環境情報取得ステップにおいて、前記知的制御装置は、さらに前記利用者情報検出携帯装置から前記利用者情報を取得し、
前記快適環境判断ステップにおいて、前記知的制御装置は、前記環境情報および前記利用者情報に基づいて前記フィールドが前記快適な環境であるか否かを判断し、
前記利用者情報検出携帯装置は、低消費電力ブルートゥース転送プロトコルによって前記知的制御装置と無線接続されるスマートウォッチまたはスマートフォンであり、
前記利用者情報は、少なくとも前記利用者の体温および心拍を含むことを特徴とする請求項１０に記載の制御方法。
【請求項１４】
前記知的制御装置は、前記知的制御装置の周囲の前記環境情報を検出する室内環境検出ユニットを有し、
前記室内環境検出ユニットによって検出される前記環境情報は、ＣＯ２含有量情報、ＰＭ２．５含有量情報およびＴＶＯＣ含有量情報をさらに含むことを特徴とする請求項１０に記載の制御方法。
【請求項１５】
前記知的制御装置は、
快適さの定義が記録され、
前記非快適環境判断ステップにおいて、前記環境情報および利用者情報と、前記快適さの定義とを照合して前記フィールド全体が前記非快適な環境であるか否かを判断し、
前記複数の検出装置は、少なくとも前記フィールド内における利用者の前記利用者情報を検出するための利用者情報検出携帯装置を有することを特徴とする請求項１０に記載の制御方法。
【請求項１６】
前記複数の検出装置は少なくとも一つのビーコン装置を有し、前記ビーコン装置は前記エリアの室内温度を検出する温湿度センサーを有し、
前記知的制御装置は、
前記ビーコン装置の設置位置が記録され、
前記特定エリア位置判断ステップにおいて、前記室内環境検出ユニットによって検出された室内温度と、前記ビーコン装置によって検出された室内温度との温度差が前記予定値よりも大きい場合、当該ビーコン装置の設置位置を前記特定エリアの位置とすることを特徴とする請求項１０に記載の制御方法。
【請求項１７】
前記第２空調機器調整制御ステップにおいて、前記知的制御装置は、前記特定エリアの位置に対して前記空調機器の風吐出方向、風速の大きさ、吸気量および排気量を調整することを特徴とする請求項１０に記載の制御方法。
【発明の詳細な説明】
【技術分野】
【０００１】
本発明は、知的制御システムに関り、特に、知的空調制御システム及びその制御方法に関する。
【背景技術】
【０００２】
現在、市場では、フィールド内の空調機器を効果的に制御するため、フィールドに温湿度センサーを設け、環境の温度・湿度情報を検知する様々な知的空調システムが知られている。これにより、空調機器は、検知された温度・湿度情報に基づいて自動的に作動するようになっている。例えば、温度が高い場合には冷房モードへ、また、温度が低い場合には暖房モードへ自動的に移行するとともに、湿度が高いと、除湿モードに自動的にオンするようになっている。
【先行技術文献】
【特許文献】
【０００３】
【特許文献１】台湾特許第Ｉ４０１４００号
【特許文献２】台湾特許第Ｉ４６７１２１号
【特許文献３】台湾特許第Ｉ４７９２９０号
【特許文献４】米国特許出願公開第２０１５／００２８１１３号明細書
【発明の概要】
【発明が解決しようとする課題】
【０００４】
しかしながら、一般に、現在の市場において知られる知的空調システムでは、単一のセンサーのみが配置され、センサーの配置位置の相違によっては、空調機器に対して異なる影響を与えてしまい、ひいては、知的制御効果の不良を招く恐れがあった。
【０００５】
例えば、いわゆる天吊り式の空調機器の風吐出口にセンサーが設けられている場合、空調機器が暖房モードへ移行すると、センサーによって検出された温度が卓上の高さの温度よりも大きくなりやすい。このような場合、センサーから空調機器にフィードバックされる温度情報は、利用者が感じる温度と大きく異なるため、暖房効果が制限される結果を招いていた（センサーによって検出された温度が比較的高いため、暖房モードの予定達成温度を下げてしまっていた）。
【０００６】
また、一般に、従来の空調機器では、風吐出方向（すなわち、羽根の方向）が、空調機器によって自動的に、または、利用者によって手動的に調整（すなわち、羽根の揺れの調整）されるようになっており、（制御する際に）参照する特定の根拠がないものであった。換言すれば、従来の空調機器は、室内温度に基づいて風吐出方向が動的に調整されないようになっていたため、室内温度にばらつきが生じ、しいては、エネルギーの浪費をもたらす結果を招いていた。
【０００７】
また、従来の空調機器は、室内者による検知機能もなかったため、精極的に制御することもできないようになっていた。例えば、空調機器が配置されるフィールドが大きいにもかかわらず、当該フィールドでの利用者数が少ない（例えば、１人だけ）場合、空調機器は、依然として上記センサーからフィードバックされた温度情報に基づいて作動していたため、フィールド全体の温度を上下させる制御しかできなかった。すなわち、従来の空調機器では、相当深刻なエネルギーの浪費があった。
【０００８】
ところで、従来の知的空調システムでは、一般に、空調機器を制御する制御装置が配置されている。このような制御装置は、空調機器およびセンサーと同一のフィールドに設けられ、簡単な演算機能のみを有するのが一般的である。
【０００９】
一般に、従来の制御装置は、簡単な情報（すなわち、センサーによって検出された温度や湿度）に基づいて空調機器を制御する制御命令を生成するにすぎないものであったため、複数の情報（例えば、複数の温度情報、利用者情報、履歴データなど）を同時に配慮（処理）することができないものであった。すなわち、従来の空調機器では、このような制御命令に従って作動するものであったため、省エネルギーの目的を効果的に達成することができないばかりか、配置されるフィールドの環境を迅速に改善することができない、といった問題があった。
【００１０】
本発明の目的は、主として、配置されるフィールドの全体または一部のエリアが非快適環境であるか否かを判断することが可能であり、しかも、空調機器を、正常に（正常な方式で）作動させてフィールド全体の環境を改善することができるとともに、比較的省エネルギーの方式で作動させて特定エリアの環境を改善することが可能な知的空調制御システム及びその制御方法を提供することにある。
【課題を解決するための手段】
【００１１】
上記目的を達成するために、本発明に係る知的空調制御システムは、少なくとも、知的制御装置と、空調機器と、前記知的制御システムが配置されるフィールドの環境情報を検出するための複数のビーコン装置と、を備えている。知的制御装置は、これらビーコン装置によって検出されたフィールド内における各エリアの環境情報を取得するとともに、当該フィールドが快適な環境であるか否かを判断する。
【００１２】
また、知的制御装置は、フィールド全体が非快適な環境であれば、空調機器に対して、快適な範囲となるように予定達成温度を調整する空調制御を直接行う。一方、知的制御装置は、配置されるフィールド内における所定の特定エリアのみが非快適環境であれば、特定エリアの位置を判断するとともに、空調機器に対して、特定エリアについて作動調整操作が行われるように空調機器を制御する。これにより、比較的省エネルギーで特定エリアの快適さを改善することができる。
【発明の効果】
【００１３】
本発明は、フィールド内における異なるエリアに設けられた複数のビーコン装置によって、各エリアの環境情報をそれぞれ検出することができ、さらに、空調機器を、正常な方式で作動させてフィールド全体の環境を改善することができるとともに、省エネルギーの方式で作動させて特定エリアの環境を改善することができるように構成されている。
このため、本発明によれば、従来技術に比べて、空調機器を正確に制御することが可能であり、しかも、エネルギーの消費を低減することができる。
【図面の簡単な説明】
【００１４】
【図１】本発明に係る具体的な第１実施例の知的空調制御システムを示す模式図である。
【図２Ａ】本発明に係る具体的な第１実施例の空間配置を示す模式図である。
【図２Ｂ】本発明に係る具体的な第１実施例のビルの配置を示す模式図である。
【図３】本発明に係る具体的な第１実施例の制御方法を示すフローチャートである。
【図４Ａ】本発明に係る具体的な第１実施例の温度設定を示す模式図である。
【図４Ｂ】本発明に係る具体的な第１実施例の温度の増減設定を示す模式図である。
【図５】本発明に係る具体的な第２実施例の知的空調制御システムの模式図である。
【図６】図６は本発明に係る具体的な第２実施例のクラウド計算を示すフローチャートである。
【図７】図７は本発明に係る具体的な第３実施例の制御方法を示すフローチャートである。
【図８】図８は本発明に係る具体的な第３実施例の制御方法を示すフローチャートである。
【図９】図９は本発明に係る具体的な第４実施例の制御方法を示すフローチャートである。
【図１０】図１０は本発明に係る具体的な第５実施例の制御方法を示すフローチャートである。
【発明を実施するための形態】
【００１５】
以下、本発明の好ましい実施例について図面を参照して詳述する。
【００１６】
図１は本発明に係る具体的な第１実施例の知的空調制御システムの模式図である。
本発明に係る知的空調制御システムは、主に、知的制御装置１と、空調機器２と、複数の検出装置３と、を備えている。本実施例において、複数の検出装置３は、主に、複数のビーコン装置（Ｂｅａｃｏｎ）３１及び少なくとも１つの利用者情報検出携帯装置３２を有しているが、これに限定されない。
【００１７】
本発明において、知的空調制御システムは、例えば、オフィス、会議室、倉庫、部屋やリビングルームなどのような室内のフィールドに設けられているが、これに限定されない。知的制御装置１は、主に、同一のフィールドにおける空調機器２または全熱交換器、空気清浄機、室内外循環機などを制御するためのものである。以下、説明しやすくするため、空調機器２を例に挙げて説明するが、これに限定されない。
【００１８】
図１に示すように、知的制御装置１は、主に、知的制御装置１の周囲の環境情報（例えば、室内温度、室内湿度、ＣＯ２含有量、微細浮遊粒子（ＰＭ２．５）含有量および総揮発性有機化合物（Ｔｏｔａｌ  Ｖｏｌａｔｉｌｅ  Ｏｒｇａｎｉｃ  Ｃｏｍｐｏｕｎｄ、ＴＶＯＣ）含有量）を検知するとともに、対応する室内温度情報、室内湿度情報、ＣＯ２含有量情報、ＴＶＯＣ含有量情報などを生成する室内環境検出ユニット１０を内蔵してもよい。また、この知的制御装置１は、フィールドに配置される空調機器２と無線接続されている。これにより、検知された環境情報に基づいて空調機器２に対して対応する制御が行われ、フィールド内における快適さが改善されるようになっている。
【００１９】
複数のビーコン装置３１は、フィールドにおける異なるエリアにそれぞれ設けられ、各エリアの環境情報をそれぞれ検出する。具体的に、複数のビーコン装置３１および知的制御装置１は、同一のフィールドにおける異なるエリアに設けられている。本実施例において、複数のビーコン装置３１には、温湿度センサー３１０がそれぞれ内蔵されている。各ビーコン装置３１は、各温湿度センサー３１０によって、配置されるエリアにおける室内温度および室内湿度をそれぞれ検出して、対応する室内温度情報および室内湿度情報を生成する。各ビーコン装置３１は、それぞれ知的制御装置１と無線接続され、知的制御装置１に検出された環境情報を供給（送信）する。
【００２０】
本実施例において、複数のビーコン装置３１および知的制御装置１は、主に、低消費電力ブルートゥース（Ｂｌｕｅｔｏｏｔｈ  Ｌｏｗ  Ｅｎｅｒｇｙ、以下、「ＢＬＥ」と称す）転送技術を利用し、ＢＬＥ転送インターフェイス（未図示）を用いてデータの転送（送信）が相互に行われるように構成するが、これに限定されない。ＢＬＥ転送技術によれば、低消費電力の特性があるため、複数のビーコン装置３１を設けることに寄与することができる。しかも、ＢＬＥ転送技術を採用する複数のビーコン装置３１は、常に電池を交換する必要がないため、本発明の知的空調制御システムの普及に寄与することにもなる。
【００２１】
このように、本実施例において、知的制御装置１および複数のビーコン装置３１がフィールドにおける異なるエリアにそれぞれ設けられているため、知的制御装置１は、室内環境検出ユニット１０および複数のビーコン装置３１によって検出された環境情報に基づいて、どのように空調機器２を制御するか否かを判断することができる。例えば、室内環境検出ユニット１０および複数のビーコン装置３１によって検出された室内温度が近くなると、例えば、３２°Ｃ〜３３°Ｃとなると、知的制御装置１は、フィールド中の環境温度が均一ではあるが、フィールド全体が非快適環境であると判断することができる。このような場合、知的制御装置１は、所定の予定達成温度（例えば、２２°Ｃ）にフィールドの温度を下げるよう、空調機器２を制御することができるため、フィールド全体の温度が均一となるように改善することができる。
【００２２】
一方、室内環境検出ユニット１０およびいずれかのビーコン装置３１（例えば、第１ビーコン装置）によって検出された室内温度の温度差が高すぎると（例えば、それぞれが２４°Ｃおよび３２°Ｃとなると）、知的制御装置１は、フィールド中の環境温度が不均一であり、第１ビーコン装置が配置されているエリアが非快適環境であると判断することができる。このような場合、知的制御装置１は、第１ビーコン装置が配置されているエリアを決定するとともに、決定されたエリアに対して作動調整操作が実行されるよう、空調機器２を制御する。例えば、空調機器２の風速を増大させるとともに羽根の方向を調整することによって、空調機器第１ビーコン装置が配置されているエリアに向けて風を吐出させることができる。これにより、フィールド全体の環境温度のバランスをとることができ、第１ビーコン装置が配置されているエリアの温度を下げることが可能となる。
本実施例において、空調機器２は、風速と羽根の方向を調整する（空調機器２の風吐出口を第１ビーコン装置が配置されているエリアへ向けさせたり、また、空調機器２の第１ビーコン装置が配置されているエリアへの風吐出量を増大させたりする）だけで、第１ビーコン装置が配置されているエリアの温度を低減させることが可能となっている。このように、本実施例は、空調機器における圧縮機の負荷を増大させることによって予定達成温度を下げるのではなく、空調機器２の風速、風吐出方向や羽根の方向を調整するのみで予定達成温度を下げているため、エネルギーの消費を効果的に抑えることが可能となる。
【００２３】
利用者情報検出携帯装置３２は、主に、利用者（図２Ａに示す利用者５１）に携帯されたり、また、着用されたりして、利用者５１の利用者情報や利用者５１の周囲の環境情報を検出するためのものである。例えば、利用者情報検出携帯装置３２は、利用者５１の腕に着用され、利用者５１の心拍や体温などの利用者情報を検出することが可能なスマートウォッチであってよい。さらに、利用者情報検出携帯装置３２は、例えば、心拍や体温検出機能を備えるスマートフォンであってもよい。この場合、利用者５１が適正に利用すれば、利用者５１の心拍や体温などの利用者情報を（十分に）検出することができる。なお、利用者情報検出携帯装置３２は、利用者５１の周囲の室内温度と室内湿度などの環境情報を検出するための、温度・湿度検出機能を有するスマートフォン（携帯電話）であってもよい。
【００２４】
利用者情報検出携帯装置３２は、知的制御装置１と無線接続されている。この利用者情報検出携帯装置３２は、利用者５１が、知的空調制御システムが配置されるフィールドへ入った場合、（例えば、上記ＢＬＥ転送インターフェイスを介して）知的制御装置１と自動的に無線接続が開始されるものであってもよい。このようにすれば、検出された利用者情報および／または環境情報を知的制御装置１に自動的に転送することが可能となる。
【００２５】
知的制御装置１は、利用者情報検出携帯装置３２によって、空調機器２に対して、どのように適正な制御を行うか否かを判断することができる。例えば、知的制御装置１は、利用者情報検出携帯装置３２から利用者情報を取得すると、当該取得した利用者情報に基づいて空調機器２に対して対応する制御を行うことが可能である。このようにすれば、空調機器２は、風速、風吐出の方向および操作モードなどを（適宜）調整する制御を行うことができる。
例えば、利用者情報が、利用者５１の体温が高くなっていることを示している場合、（該当する）利用者５１（の位置）に対して、例えば予定達成温度や風速の大きさを調整することができ、利用者５１を快適にさせることも可能となる。一方、利用者情報が利用者５１の体温が低くなっていることを示している場合、知的制御装置１は、暖房モードに入るよう、空調機器２を制御することができ、利用者５１の体温が低すぎるといった問題を解消することもできる。
【００２６】
一実施例において、利用者情報検出携帯装置３２（例えば、ＢＬＥ通信プロトコルを支持する装置）、知的制御装置１および少なくとも１つのビーコン装置３１の間の信号の強さ（ｒｅｃｅｉｖｅｄ  ｓｉｇｎａｌ  ｓｔｒｅｎｇｔｈ  ｉｎｄｅｘ（ＲＳＳＩ））によっては、利用者の位置（例えば、三角測位法によって計算する）を求めることも可能である。
【００２７】
なお、知的制御装置１は、利用者情報の数からフィールド内における現在の利用者５１の人数も把握することもできる。例えば、フィールド内における利用者５１の人数が少ない場合、知的制御装置１は、利用者５１の位置に対して作動調整操作が行われるよう、空調機器２を制御することができる。例えば、上述したようなＲＳＳＩの応用によって、フィールド内における１人または数人の利用者の位置を取得するとともに、当該取得した位置に基づいて空調機器２の風速と羽根方向を調整して、空調機器これら利用者５１がいる位置に向けて風を吐出させることができる。このように、予定達成温度を下げることなく、利用者５１に対して快適さを感じさせることが可能なため、エネルギーの消費を効果的に抑えることができる。
【００２８】
なお、利用者情報は、一意性を有する（利用者５１を特定することが可能な）認識情報が含まれていればよい。これにより、知的制御装置１は、利用者情報によって利用者５１の身分を認識することができる。一実施例において、利用者情報検出携帯装置３２は、無線転送機能（例えば、ＢＬＥ、Ｗｉ−Ｆｉ、Ｚｉｇｂｅｅ、ＲＦ、ＮＦＣなど）を有する社員識別証であってもよく、認識情報は、社員識別番号であってよい。また、他の実施例において、利用者情報検出携帯装置３２は、スマートフォンであってもよく、認識情報は、国際移動機器識別コード（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）であってよい。さらに、他の実施例において、利用者情報検出携帯装置３２はタブレット、ノート型パソコンやスマートウォッチであってもよく、認識情報は、ネットワークカードの媒体アクセス制御アドレス（Ｍｅｄｉａ  Ａｃｃｅｓｓ  Ｃｏｎｔｒｏｌ  Ａｄｄｒｅｓｓ、ＭＡＣ  Ａｄｄｒｅｓｓ）やブルートゥース転送ユニットの媒体アクセス制御アドレスであってよい。これらは本発明の好ましい具体的な実施例にすぎず、これに限定されない。
【００２９】
本実施例において、知的制御装置１には、上記利用者５１の認識情報や、利用者５１の利用記録を予め設定して記憶させておいてもよい。このようにすれば、利用者５１がフィールドに入ることによって、利用者情報検出携帯装置３２から知的制御装置１に認識情報を転送された場合、知的制御装置１は、当該認識情報に基づいて（例えば、テーブル検索プログラムによって）利用者５１の身分を検索することができる。そして、利用者５１の身分を確認して利用者５１の利用記録を取得した場合、利用記録に基づいて対応した調整を行うよう、空調機器２を制御することが可能となる。利用記録は、予め設定されたある期限内（例えば、過去３か月、又は、過去３年の同月（同時期）であってよい）における、利用者５１の利用習慣（例えば、過去の予め設定された所定期限内（例えば、過去３か月内、又は過去３年の今月）に利用者５１からされた要求）に基づいて設定された予定達成温度であってよい。
【００３０】
また、他の実施例において、認識情報および利用記録は、クラウドサーバー（例えば、図５に示すクラウドサーバー６）に記憶させてもよい。この場合、知的制御装置１が認識情報を受信した場合、当該認識情報をクラウドサーバー６へアップロードして、クラウドサーバー６側で利用者５１の身分を認識するとともに利用者５１の利用記録を取得するようにし、その後、当該利用記録を知的制御装置１に転送して後処理を行えばよい。
【００３１】
複数の検出装置３は、知的制御装置１と無線接続される室外環境検出装置３３を有してもよい。本発明では、知的制御装置１および複数のビーコン装置３１を室内に設け、利用者情報検出携帯装置３２を利用者５１に携帯させているが、室外に室外環境検出装置３３を設ける場合、当該室外環境検出装置３３によって、室外温度、室外湿度および空気品質などを検出させるとともに、対応する室外温度情報、室外湿度情報および空気品質情報などを生成させる。
【００３２】
室外環境検出装置３３を設けることによって、本発明の知的空調制御システムによる空調機器２の制御品質をより効果的に向上することができる。
例えば、知的制御装置１は、室外環境検出装置３３から室外温度情報を受信した場合において、室外温度が低すぎると判断すると、利用者５１がフィールドに入った際、温度をゆっくりと調整するように空調機器２を制御することも可能である。このようにすれば、室内外の温度差が過大であることに基づく利用者５１の不快な感じを解消することができる。
また、例えば、知的制御装置１が空気品質情報を受信した場合において、室外空気の質がよくないと判断すると、室内外における空気循環が大風量とならないように停止する制御を空調機器２に行わせることも可能である。この場合、空気清浄機能を起動すれば、空調機器２内のフィルターによってフィールド内における空気の品質を向上させることができる。
【００３３】
知的制御装置１は、主に、複数の検出装置３によって検出された環境情報、利用者情報、室外温度情報、室外湿度情報および空気品質情報を受信するように構成されている。また、フィールドに１つまたは複数の計器機器４が設けられている場合、知的制御装置１は、計器機器４の計器温度情報も受信することが可能である。
【００３４】
例えば、計器機器４は、温度検出機能および無線転送機能を有するプロジェクターであってよい。この場合、作動すると高温が発生するプロジェクターは、自身の温度を検出して、対応する計器温度情報を生成して知的制御装置１に転送する。知的制御装置１は、計器温度情報に基づいてプロジェクターの温度が高すぎると判断すると、羽根の方向を調整するように空調機器２を制御して、プロジェクターに向けて風を直接吐出する。これにより、圧縮機を作動しない場合においても、プロジェクターの温度を低減させることができ、機器の利用寿命を向上させることが可能となる。
【００３５】
なお、知的空調制御システムは、１つまたは複数の計器機器４（例えばサーバー）を有する機器室に直接設けることも可能である。この場合、知的制御装置１は、これらの計器機器４の計器温度情報を受信し、上述した方式に従って機器室中の空調機器２を制御すればよい。このようにすれば、機器室内の環境を改善することができ、過熱によるこれら計器機器４の損傷を回避することが可能となる。
【００３６】
ちなみに、知的空調制御システムは、１つまたは複数のランプ光検知機器（未図示）を有してもよい。ランプ光検知機器は、オン／オフされる際、状態に応じて対応するオン／オフ情報を生成することが可能である。知的制御装置１は、オン／オフ情報と少なくとも１つの検出装置３によって取得された情報に基づいて、フィールド内に人間が入ったのか、または、離れたのかを総合的に判断することができる。例えば、知的制御装置１は、ランプ光検知機器がオン（オン／オフ情報がＯＮ）であれば、人間が入ったことを、また、ランプ光検知機器がオフ（オン／オフ情報がＯＦＦ）であれば人間が離れたことを意味するため、少なくとも１つの検出装置３によって取得された情報から、フィールドのＣＯ２濃度が単位時間あたりで下げる傾向になったと判断することにより、すべての人間がこの環境から離れたと判断することも可能となる。このような、環境情報および利用者情報に加えた情報によって、空調機器２をより正確に制御することが可能なため、省エネルギーの目的を達成することができる。
【００３７】
また、知的空調制御システムは、フィールド内における音声を検出して対応する音声情報を生成するための、１つまたは複数の音声センサー（未図示）を有してもよい。この場合、知的制御装置１は、音声センサーと接続して音声情報を取得することができる。本実施例では、知的制御装置１は、音声情報および少なくとも１つの検出装置３によって取得された情報に基づいて、フィールド内に人間がいるか否かを総合的に判断することができる。このような、環境情報および利用者情報に加えた情報によって、空調機器２をより正確な制御することが可能なため、省エネルギーの目的を達成することができる。
【００３８】
１つの好ましい実施例において、音声センサーを、空調機器２の周囲に設けるか、または、空調機器２に内蔵させてもよい。この場合、知的制御装置１は、音声情報によって空調機器２の部品に異音が発生したか否かを判断することもできる。例えば、空調機器２に異音が発生された場合、知的制御装置１は、故障発生の前兆であると判定し、現場に来て点検するように点検者に直接知らせることも可能である。音声センサーの設置によって、管理者は、定期的にフィールドへ行く必要がなくなり、また、空調機器２を点検するために点検者を手配する必要がないため、人的コストを効果的に低減することができる。
【００３９】
なお、知的空調制御システムは、フィールド内における圧力を検出して対応する圧力情報を生成するための、１つまたは複数の圧力センサー（未図示）を有してもよい。知的制御装置１は、圧力センサーと接続することによって、圧力情報を取得することが可能である。本実施例では、知的制御装置１は、室内の環境情報、室外の環境情報および圧力情報に基づいて、現在の天気、例えば、晴れ、曇りや雨などを判断することができる。
【００４０】
なお、圧力センサーを空調機器２に設けた場合、圧力センサーは、空調機器２内の圧力の変化（例えば風圧の変化）を検出して知的制御装置１に転送することができる。これにより、空調機器２内の圧力が所定の閾値よりも大きくなった場合、知的制御装置１は、空調機器２のフィルターが詰まったと判断することもでき、現場に来てフィルターを交換するよう、点検者に直接知らせることが可能となる。圧力センサーの設置によって、管理者は、定期的にフィールドへ行く必要がなくなり、また、空調機器２のフィルターの交換の要否を検査するために点検者を手配する必要がないため、人的コストを効果的に低減することができる。
【００４１】
なお、上記音声センサーおよび圧力センサーは、別体のセンサーであってもよく、知的制御装置１に内蔵されてもよいが、これに限定されない。
【００４２】
なお、室内環境検出ユニット１０がＣＯ２含有量の検出機能を有すれば、ＣＯ２含有量情報が（ますます）増加した場合、知的制御装置１は、少なくとも１つの利用者５１がフィールドにいると判断することができ、空調機器２に対して対応する制御を行うことが可能となる。なお、空気中のＣＯ２含有量が単位時間当たりに激増した場合、知的制御装置１は、フィールド内において火災の発生の可能性があると判断することも可能となるため、速やかに処理できるように安全関係部門に直接知らせることができる。
【００４３】
室内環境検出ユニット１０がＰＭ２．５含有量やＴＶＯＣ含有量の検出機能を有すれ、知的制御装置１は、ＰＭ２．５含有量情報やＴＶＯＣ含有量情報に基づいてフィールド内における空気の品質の良否や、火災発生の有無を判断することができる。これにより、さらに、空調機器２に対して対応する制御を行う必要があるのか、または、処理できるように安全関係部門に知らせる必要があるかを判断することが可能となる。
【００４４】
次に、図２Ａおよび図２Ｂを同時に参照して、本発明に係る具体的な第１実施例を説明する。図２Ａは第１実施例の空間配置を示す模式図、図２Ｂはビルの配置を示す模式図である。
図２Ａに示すように、本発明に係る知的空調制御システムは、主に、室内の所定の環境空間５（例えば１つの平面フロア）に設けられている。例えば、環境空間５に複数のフィールド（例えば複数の部屋）がある場合、各フィールドに１組の知的空調制御システムをそれぞれ設けることも可能である。すなわち、この場合、各フィールドには、１つの知的制御装置１、１つの空調機器２および複数の検出装置３がそれぞれ設けられることになる。
【００４５】
環境空間５内にいる利用者５１には、利用者情報を検出するための１つの検出装置３（例えば、利用者情報検出携帯装置３２）が携帯されている。そして、利用者５１が環境空間５内のいずれかのフィールドに入ると、利用者情報が利用者情報検出携帯装置３２を介してフィールド内の知的制御装置１に転送されることとなる。
【００４６】
また、図２Ｂに示すように、ビル５２に複数の平面フロア（すなわち、複数の環境空間５）があるとともに、各環境空間５に少なくとも１組の知的空調制御システムがそれぞれ設けられている場合、ビル５２内に設けられるセンターサーバー（未図示）に、ビル５２内のすべての知的制御装置１を（同時に）接続することによって、すべてのフィールド内の環境情報および利用者情報を取得することが可能となる。このような場合、ビル５２の管理者は、ビル５２内のすべてのフィールドの状況を効果的にモニタリングすることが可能となる。なお、管理者は、各フィールドの用途（例えば、オフィスや会議室）に基づいて、各フィールドの知的空調制御システムに適正な作動モードをそれぞれ設定して、ビル５２全体のエネルギーの消費（詳細は後述）を抑えることもできる。
【００４７】
なお、センターサーバーは、ビル５２におけるすべての知的制御装置１からすべてのフィールドの環境情報と利用者情報を取得することができる。また、人体の体温は環境温度よりも高いのが一般的である。このため、センターサーバーは、取得したすべての環境情報および利用者情報に基づいて、ビル５２内にいるすべての利用者５１の現在位置を判断することも可能である。
【００４８】
次に、図３を同時に参照して本発明に係る具体的な第１実施例を説明する。図３は第１実施例の知的制御システムに採用されている制御方法を示すフローチャートである。
知的制御装置１は、まず、室内環境検出ユニット１０および複数の検出装置３から、配置されているフィールド内の環境情報および利用者情報を取得する（ステップＳ１０）。次に、知的制御装置１は、環境情報および利用者情報に基づいてフィールドが快適な環境であるか否かを判断する（ステップＳ１２）。なお、フィールドに計器機器４があれば、知的制御装置１は、環境情報、利用者情報および計器温度情報を同時に受信し、これら環境情報、利用者情報および計器温度情報に基づいてフィールドが快適な環境であるか否かを判断してもよい。
【００４９】
本実施例では、知的制御装置１には、快適さを示す定義（以下、「快適さ定義」と称す）が予め複数設定されていてもよい、例えば、利用者５１の人数が５人以下である場合において、室内温度が２４°Ｃ〜２８°Ｃであると快適と判断してもよく、利用者５１の人数が５人以上である場合において、室内温度が２２°Ｃ〜２５°Ｃであると快適と判断してもよい。この場合、知的制御装置１は、ステップＳ１２において、主に、環境情報および利用者情報と、上記快適さ定義とを照合して、フィールドが快適環境であるか否かを判断することができる。
【００５０】
なお、知的制御装置１は、環境情報と利用者情報を受信した後、クラウドサーバー６にアップロードすることも可能である。この場合、クラウドサーバー６を介してフィールドが快適な環境であるか否かを判断してもよい。すなわち、複数の快適さ定義を、クラウドサーバー６に記憶しておいてもよく、また、大量データ解析（ｂｉｇ  ｄａｔａ  ａｎａｌｙｓｉｓ）プログラムに基づいてクラウドサーバー６側で求めてもよい。
【００５１】
知的制御装置１は、フィールドが快適環境であると判断すると、ステップＳ１０へ戻り、環境情報および利用者情報を受信して、フィールドが快適環境であるか否かを判断する制御を継続的に行う。
一方、知的制御装置１は、フィールドが非快適環境であると判断すると、フィールド全体が非快適環境であるか否かを判断する（ステップＳ１４）。具体的に、知的制御装置１は、ステップＳ１４において、環境情報および利用者情報に基づいて、配置されているフィールド全体が非快適環境であるか否か（例えば、フィールドの均一温度が高すぎるか）、または、フィールドにおける１つまたは複数の特定エリアのみが非快適環境であるか否か（例えば、利用者５１のいる位置のみの温度が高すぎであるか、計器機器４のある位置のみの温度が高すぎなのか、または、いずれかのビーコン装置３１の位置のみの温度が高すぎるのか）を判断する。
【００５２】
知的制御装置１は、フィールド全体が非快適環境であると判断すると、ある快適範囲（の温度）に予定達成温度を設定するように空調機器２を直接制御する（してもよい）（ステップＳ１６）。例えば、フィールドの現在の均一温度が３１°Ｃであるが、快適範囲が２２°Ｃ〜２５°Ｃである場合、知的制御装置１は、空調機器２の予定達成温度を２２°Ｃ〜２５°Ｃに直接設定する。このように、空調機器２は、圧縮機を起動して、フィールドの均一温度が２２°Ｃ〜２５°Ｃに下がるように、冷たい空気を吐出する。
【００５３】
本実施例では、知的制御装置１は、環境情報および利用者情報に基づいて生成した制御命令に基づいて、空調機器２の予定達成温度を設定した。この場合に限られず、クラウドサーバー６にアップロードした環境情報および利用者情報に基づいて、当該クラウドサーバー６が演算法によって制御パラメータを算出し（例えば、制御命令におけるこれらの情報が全体に占める百分率（比率））、知的制御装置１が環境情報、利用者情報および制御パラメータに基づいて制御命令を生成することも可能である。この例は本発明の他の好ましい具体的な実施例にすぎず、これに限定されない。
【００５４】
知的制御装置１は、ステップＳ１６を行った後、フィールドの不快適の度合いに基づいて、風速を調整（例えば、均一温度が３０°Ｃを超える場合、Ｈｉｇｈに風速を調整し、均一温度が２８°Ｃ〜３０°Ｃである場合、Ｍｉｄｄｌｅに風速を調整）するように空調機器２を制御して、フィールドの快適さを速やかに改善してもよい（ステップＳ１８）。
【００５５】
知的制御装置１は、ステップＳ１４において、フィールドにおけるある特定エリアのみが非快適環境であると判断した場合、まず、複数の検出装置３用いて特定エリアの位置を確認する（ステップＳ２０）。例えば、知的空調制御システムの（実装）設定が初期化された場合、知的制御装置１は、各ビーコン装置３１および計器機器４の設置位置を記録することができ、また、利用者５１がフィールドに入ると、利用者情報検出携帯装置３２の位置を即時に取得することが可能である。このため、知的制御装置１は、取得した環境情報および利用者情報をフィールドにおける異なるエリアにそれぞれ対応付けることによって、特定エリアの位置を判断することができる。
【００５６】
知的制御装置１は、ステップＳ２０を行った後、特定エリアの位置に対して作動調整操作を行うように空調機器２を制御して、特定エリアの快適さを改善する（ステップＳ２２）。例えば、知的制御装置１が行う作動調整操作は、空調機器２の風吐出方向（すなわち、羽根の方向）、風速の大きさ、吸気量や排気量などの調整が挙げられる。なお、この作動調整操作は、特定エリアの快適さの改善を目的とするだけで、フィールド全体の快適さを改善する必要はない。このため、比較的少ないエネルギーの消費のみで特定エリアの快適さの改善を図ることができ、その結果、全体のエネルギー消費を低減することが可能となる。
【００５７】
次に、図４を同時に参照して本発明に係る具体的な第１実施例を説明する。図４Ａは知的制御装置１が予定達成温度を設定する１つの実施例であり、図４Ｂは知的制御装置１が予定達成温度を設定する他の実施例である。
本発明において、知的制御装置１は、空調機器２の起動の際、記録されている環境温湿度の平均値に基づいてフィールドの初期の好適な予定達成温度範囲を判断し、且つ、図４Ａ、図４Ｂに示すテーブルを作成する。なお、知的制御装置１は、空調機器２の起動前の一定の期間（例えば、起動前の１時間）内のフィールドの環境温湿度を記録してもよい。これにより、空調機器２の作動中、知的制御装置１は、上記テーブルによって予定達成温度を生成することができる。なお、上記テーブルは、知的制御装置１の生産の時に知的制御装置１に予め記憶されてもよいが、これに限定されない。
【００５８】
図４Ａに示す例において、知的制御装置１は、フィールドの全体が非快適環境であり、且つフィールドの現在の均一温度が２６°Ｃよりも大きい（高い）と判断する場合、圧縮機を起動して冷房モードへ入るように空調機器２を制御するとともに、現在の均一温度に基づいて空調機器２の予定達成温度を対応して設定することができる。フィールドの均一温度が低くなる場合、予定達成温度をこれに対応して上げることになる。
【００５９】
一方、フィールドの均一温度が１６°Ｃよりも小さく（低く）なる場合、暖房モードへ入るように空調機器２を制御するとともに、現在の均一温度に基づいて予定達成温度を対応して設定することができる。フィールドの均一温度が高くなる場合、予定達成温度をこれに対応して下げることになる。
【００６０】
なお、フィールドの現在の均一湿度に応じて、知的制御装置１は、フィールドの全体が非快適環境であるかを判断することもできる。なお、温度に対する人体の知覚は湿度の変化によって異なってくるため、現在の湿度に合わせて予定達成温度を設定することで、エネルギーの消費を効果的に抑えることもできる。
【００６１】
次に、知的制御装置１が予定達成温度を設定する他の実施例を、図４Ｂを参照して説明する。
例えば、知的制御装置１が予定達成温度を決定する場合において、フィールドの現在の均一湿度が６０％であると、知的制御装置１は、予定達成温度で作動するように空調機器２を直接制御することも可能である。なお、知的制御装置１は、フィールドの現在の均一湿度が８０％である場合、予定達成温度を０．５°Ｃ上げてもよく、フィールドの現在の均一湿度が１００％に達すると、予定達成温度を１°Ｃ上げてもよい。このように、温度に対する利用者５１の知覚へ影響することなく、空調機器２のエネルギー消費を抑えることができる。
【００６２】
なお、室外環境検出装置３３を設けた場合、本発明に係る知的空調制御システムは、室外温度情報、室外湿度情報および空気品質情報を取得することが可能となる。この場合、知的制御装置１は、フィールドに（一定比例の）室外空気を適時導入してもよい（例えば、室外の空気品質がよく、且つ、室外温度が室内温度よりも低い場合、室外空気を導入）。これによって、比較的、省エネルギーの方式でフィールドの環境を効果的に改善することができる。
【００６３】
このように、本発明では、知的制御装置１が、各検出装置３によって検出された情報に基づいて、空調機器２を自動的に制御する（例えば空調機器２の起動、温度の設定、モードの切替え、又は、風速の大きさと風吐出方向の調整など）必要があるか否かを判断するとともに、必要があると判断する場合、取得した環境情報および利用者情報に基づいて、空調機器２を制御するための制御命令を算出するようにしているため、（上述したような）技術的な効果を有するものとなっている。
【００６４】
次に、本発明に係る具体的な第２実施例の知的空調制御システムについて説明する。まず、図５を参照して本実施例を説明する。図５は第２実施例の知的空調制御システムの模式図である。
本実施例は、知的制御装置１が、環境情報および利用者情報に基づいて制御命令を自動的に生成するものではあるが、まず、クラウドサーバー６に環境情報および利用者情報をアップロードし、クラウドサーバー６から制御パラメータを取得した後、さらに、環境情報、利用者情報および制御パラメータに基づいて制御命令を計算出して生成するようにしたものである。
【００６５】
図５に示すように、知的制御装置１は、ネットワークシステムによってクラウドサーバー６と接続することが可能である。クラウドサーバー６は、知的制御装置１によってアップロードされた環境情報および利用者情報を受信して、データベース（未図示）に記録されている履歴データとともに、大量のデータ解析（Ｂｉｇ  ｄａｔａ  ａｎａｌｙｓｉｓ、以下、「大量データ解析」と称す）を行って、制御パラメータを算出する。
【００６６】
具体的に、知的制御装置１には、異なるタイプの制御命令にそれぞれ対応する１つまたは複数の制御アルゴリズム１１が記録されている。この異なるタイプの制御命令は、異なる機器と、異なる機能およびモードにそれぞれ対応されている。例えば、空調機器２を例にとれば、制御命令は、「空調機器２のオン」、「温度の設定」、「モードの切替え」、「圧縮機の起動」、「風速の大きさの調整」、「風吐出方向の調整」などが挙げられるが、これに限定されない。なお、他の実施例において、制御命令は、暖房通風空調（Ｈｅａｔｉｎｇ、Ｖｅｎｔｉｌａｔｉｎｇ、ａｎｄ  Ａｉｒ−Ｃｏｎｄｉｔｉｏｎｉｎｇ、ＨＶＡＣ）、全熱交換器、空気清浄機などの機器の機能およびモードに対応させてよいが、これに限定されない。
【００６７】
本実施例において、知的制御装置１は、主に、環境情報（室内温度、室内湿度、室外温度、室外湿度、空気品質、大気圧力などを含む）、利用者情報（利用者５１の体温、心拍、利用記録などを含む）および制御パラメータが入力されると、制御アルゴリズム１１に基づいて、１つまたは複数の制御命令を算出するようになっている。この制御命令は、空調機器２に対応して調整するよう空調機器制御して、フィールドの全体またはフィールドにおける特定エリアの快適さを改善するために用いられる。
【００６８】
次に、図６を同時に参照して本実施例を説明する。図６は本発明に係る具体的な第２実施例のクラウド計算を示すフローチャート（知的制御装置１が制御命令によって空調機器２の予定達成温度を自動的に算出する制御フローを示すフローチャート）である。
知的制御装置１は、まず、室内環境検出ユニット１０、複数のビーコン装置３１、室外環境検出装置３３および温度検出ユニット４０から環境情報を取得するとともに、利用者情報検出携帯装置３２から利用者情報を取得する（ステップＳ３０）。
次に、知的制御装置１は、例えば、図４Ａおよび図４Ｂに示すようなテーブルに基づいて、環境情報を空調機器２の予定達成温度に換算する（ステップＳ３２）。そして、知的制御装置１は、さらに、センターサーバーからビル５２の管理者がフィールドに設定した作動モード（作動温度）を取得する（ステップＳ３４）。
【００６９】
なお、管理者は、上述したように、知的空調制御システムが設けられているフィールドの機能（例えば、会議室やオフィス）に基づいて、例えば、正常モード、節電モードなどの異なる作動モードを予め設定することも可能である。また、知的制御装置１には、モード照合テーブル（未図示）が予め記憶されていてもよく、作動モードを取得した後、知的制御装置１が、モード照合テーブルを検索して、作動モードに対応する作動温度（例えば、正常モードが２５°Ｃに対応し、節電モードが２７°Ｃに対応する）を取得してもよい。
【００７０】
知的制御装置１は、ステップＳ３４を行った後、クラウドサーバー６に環境情報、予定達成温度、利用者情報および作動温度などのデータをアップロードする（ステップＳ３６）。なお、上記作動温度は場合によっては省略することも可能である。具体的に、管理者がフィールドに対して（関係）設定を行わなかった場合、知的制御装置１が作動モードを取得することができないため、作動温度もアップロードできなくなるからである。
【００７１】
次に、クラウドサーバー６は、上記データを受信した後、利用者情報における認識情報に基づいて利用者５１の身分を認識して、データベースから利用者５１の利用記録を導出する（ことが可能である）（ステップＳ３８）。本実施例における利用記録とは、利用者５１が前にフィールドに入った際に行った１回または複数回の設定操作を意味する。
【００７２】
なお、知的空調制御システムは、知的制御装置１と有線接続または無線接続されてもよい。また、知的制御装置１に直接設けられる手動制御インターフェイス１２を有してもよい。この手動制御インターフェイス１２は、例えば、ボタンやタッチスクリーンなどの実体のインターフェイスであってもよく、例えば、知的制御装置１と無線的に接続されているウェブページインターフェイス（Ｗｅｂｐａｇｅ）やアプリケーションインターフェイス（Ａｐｐｌｉｃａｔｉｏｎ  ｐｒｏｇｒａｍ）などの疑似のインターフェイスであってもよいが、これに限定されない。
【００７３】
正常な状況において、知的空調制御システムは、（原則として、）フィールドおよび利用者５１の状況に応じて空調機器２を自動的に制御するようになっている。しかしながら、利用者５１が、現在の環境が不快適であると考える場合も少なくない。このため、利用者５１が、手動制御インターフェイス１２を介してフィードバック情報（例えば、熱すぎ、冷たすぎ、などのフィードバック選択肢）を直接送信できるようにしておくのが好ましい。このようにすれば、知的制御装置１は、フィードバック情報を参照して現在に採用（設定）されている制御命令を調整することができる。このようにして調整された場合、知的制御装置１はクラウドサーバー６にフィードバック情報をアップロードし、利用者５１の利用記録としてデータベースに記憶する。
【００７４】
クラウドサーバー６は、ステップＳ３６を行った後、環境情報に基づいて履歴記録および提案環境温度を算出する（ステップＳ４０）。例えば、クラウドサーバー６には、去年の各時期におけるフィールドの室内温湿度および室外温湿度と、その時にフィールドの快適さを改善するために行われた各操作などのフィールドの過去のすべての履歴記録とを記録しておくことができる。そして、クラウドサーバー６は、インタネットを利用して世界中の各地域の温湿度における最適な快適さに対する定義パラメータをも取得することもできる。本実施例において、クラウドサーバー６は、上記データに対して大量データ解析を行って、履歴記録および提案環境温度を求めることができる。すなわち、クラウドサーバー６は、大量データ解析を経ることによって、現在の時間（時期）および環境状態においてフィールドに最適な温度が算出できるようになっている。
【００７５】
そして、クラウドサーバー６は、制御パラメータとして、制御命令における予定達成温度、利用記録、作動温度、履歴記録および提案環境温度、異常制御命令の百分率（比率）をそれぞれ算出する（ステップＳ４２）。換言すれば、１つの制御命令は、主として、予定達成温度、利用記録、作動温度、履歴記録および提案環境温度、異常制御命令が組み合わせてなる。詳細は後述するが、異常制御命令は、必ず存在するとは限らない。
【００７６】
クラウドサーバー６は、ステップＳ４２を行った後、知的制御装置１に制御パラメータを転送する（ステップＳ４４）。本実施例では、クラウドサーバー６は、知的制御装置１において、制御命令を算出して生成されるように、知的制御装置１に対して、取得した利用記録、生成された履歴記録および提案環境温度をあわせて転送する。
【００７７】
ちなみに、フィールドに複数の利用者５１がいると、クラウドサーバー６は、複数の利用者５１の身分をそれぞれ認識して、複数の利用記録をそれぞれ取得することができる。そして、クラウドサーバー６は、複数の利用者５１の権限やフィールドへ入った回数などの情報をも同時に認識して、複数の利用記録に異なる百分率（比率）を与えることも可能である。
【００７８】
ステップＳ４４が行われた後、知的制御装置１は、１つまたは複数の制御アルゴリズム１１に予定達成温度、利用記録、作動温度、履歴記録および提案環境温度、異常制御命令、制御パラメータを導入して、１つまたは複数の制御命令を算出して生成する（ステップＳ４６）。
そして、知的制御装置１は、１つまたは複数の制御命令に基づいて空調機器２を制御する（ステップＳ４８）。これにより、フィールド全体の快適さが改善されるか、または、フィールド内における特定エリアの快適さが改善されることとなり、省エネルギーと快適さとの両立を図ることが可能となる。
【００７９】
好適な実施例において、クラウドサーバー６は、制御命令に係る予定達成温度に対して重み（例えば、４０％）を予め設定することも可能である。利用者５１が手動制御インターフェイス１２によって手動で調整した後、クラウドサーバー６はさらに利用者５１の設定に基づいて予定達成温度の重みを向上させたり、低減させたりすることができる。
【００８０】
好適な実施例において、クラウドサーバー６は、上記利用記録に対応する利用記録温度を算出することができる。また、クラウドサーバー６は、制御命令に係る利用記録温度に対して重み、例えば、３０％を予め設定することも可能である。具体的にいえば、複数の利用記録がある場合、複数の利用記録に対応する複数の利用記録温度の重み（比率、百分率）の総計は３０％を超えないようにする。そして、利用者５１が手動制御インターフェイス１２によって手動で調整した後、クラウドサーバー６はさらに利用者５１の設定に基づいて利用記録温度の重みを向上させたり、低減させたりすることができる。
【００８１】
好適な実施例において、クラウドサーバー６は、上記履歴記録および提案環境温度に対応する履歴温度を算出することができる。クラウドサーバー６は、制御命令に係る履歴温度の重み（例えば、３０％）を予め設定することも可能である。そして、利用者５１が手動制御インターフェイス１２によって手動で調整した後、クラウドサーバー６はさらに利用者５１の設定に基づいて履歴温度の重みを向上させたり、低減させたりすることができる。
【００８２】
なお、本実施例においては、管理者によって設定される作動温度が必ずしも存在するとは限らないため、クラウドサーバー６は、制御命令に係る作動温度の重みを予め設定していない。しかし、センターサーバーを検索した結果、管理者によって作動温度が設定されたことが発見された場合、クラウドサーバー６は、作動温度に対する管理者の重み（例えば、２０％に設定）の設定を同時に受付けることができる。ここで、作動温度がある場合、クラウドサーバー６は、予定達成温度の重み、利用記録温度の重みおよび履歴温度の重みを調整する。換言すれば、作動温度、予定達成温度、利用記録温度および履歴温度の重みについての百分率（比率）の総計は、１００％を超えることがない。
【００８３】
ところで、異常制御命令とは、例えば、所定の規定値を超えるＣＯ２含有量や室内温度といった、フィールドにおける環境が異常な状況であることを示す命令を意味し、この命令は、知的制御装置１に予め作成されている。知的制御装置１が環境情報に基づいて環境異常状況の発生を判断する場合、知的制御装置１は、異常制御命令の起動フラグをイネーブル（ＯＮに）し、例えば、１（Ｔｒｕｅ）に設定してもよい。逆に、知的制御装置１は、環境が正常であると判断する場合、起動フラグをディスイネーブル（ＯＦＦに）し、例えば、０（ｆａｕｌｔ）に設定してもよい。
【００８４】
クラウドサーバー６によって予め設定された異常制御命令の重みは、１００％であり、異常制御命令を優先するよう（最高権限）に設定する。すなわち、環境異常状況が発生して、異常制御命令の起動フラグがイネーブルされた場合、知的制御装置１は、予定達成温度、作動温度、利用記録温度および履歴温度を無視して、直接異常制御命令を制御命令とすることができる。このように、フィールドに環境異常状況が発生した場合、知的制御装置１は、空調機器２をできるだけ早く制御して環境異常状況を解消させることができる。
【００８５】
上述したような重みが予め設定された場合、知的制御装置１の制御命令の計算式は以下のようになる。
【００８６】
「予定達成温度×第１重み」＋「利用記録温度×第２重み」＋“履歴温度×第３重み」＋「異常制御命令×１００％×起動フラグ（の状態）」
【００８７】
起動フラグがディスイネーブルされている状態において、利用者５１が手動で調整しなかった場合、第１重みを４０％、第２重みを３０％、第３重みを３０％に予め設定してもよい。また、起動フラグがイネーブルされた場合、第１重み、第２重みおよび第３重みのすべてを０％にして、直接異常制御命令を制御命令とする（異常制御命令の重みが１００％）。
【００８８】
管理者によって設定された作動温度がある場合、制御命令の計算式は以下のようになる。
【００８９】
「予定達成温度×第１重み」＋「利用記録温度×第２重み」＋「履歴温度×第３重み」＋「作動温度×第４重み」＋「異常制御命令×１００％×起動フラグ（の状態）」。
【００９０】
第１重み、第２重み、第３重みおよび第４重みの総計は１００％であり、且つ、作動温度の重みは予定達成温度の重みよりも小さい。また、上述したように、起動フラグがディスイネーブルされた場合、第１重み、第２重み、第３重みおよび第４重みのすべてを０％にして、直接異常制御命令を制御命令とする。
【００９１】
上記生成された制御命令によって、空調機器２は、フィールドに発生した環境異常状況を解消することができる。また、正常な作動方式でフィールド全体の環境の快適さを改善することができるとともに、比較的省エネルギーの方式で作動させながらもフィールドにおける１つまたは複数の特定エリアの環境の快適さを改善することが可能となる。
【００９２】
上記制御命令に関し、上記空調機器２を例にとって説明すると、空調機器に対する制御命令は、主に、「空調機器２のオン」、「温度の設定」、「モードの切替え」、「風速の大きさの調整」、「風吐出方向の調整」などのタイプが含まれ、これらタイプは、知的制御装置１における複数の制御アルゴリズム１１にそれぞれ対応付けられることとなる。
本発明では、空調機器２の制御方式は、２つの方式がある。具体的にいえば、第１の方式は、利用者５１がフィールドへ入った後、手動制御インターフェイス１２によって空調機器２を手動で制御する方式であり、また、第２の方式は、知的制御装置１が、室内環境検出ユニット１０、複数の検出装置３と温度検出ユニット４０から取得した環境情報および利用者情報に基づいて空調機器２を制御する必要があるかを即時的に判断して、必要があると判断した場合、対応する制御アルゴリズム１１を導出して、必要となる制御命令を算出して空調機器２を制御する方式である。
【００９３】
次に、本発明に係る具体的な第３実施例の制御方法を、図７を参照して説明する。図７は、知的制御装置１が制御命令によって空調機器２を自動的に起動する制御フロー（第３実施例の制御方法を示すフローチャート）である。
【００９４】
図７に示すように、知的制御装置１は、まず、環境情報を取得し（ステップＳ５００）、環境情報に基づいて予め作成された起動スケジュールを検索する（ステップＳ５０２）。
本実施例において、環境情報は、主に、ランプ光検知機器のオン／オフ情報、室内温度、圧力情報、ＣＯ２含有量情報などを含むが、これに限定されない。
次に、知的制御装置１は、ステップＳ５０２において、主に環境情報を、起動スケジュールに記録されている所定の定量と照合して、空調機器２をオンする必要があるかを判断する（ステップＳ５０４）。
【００９５】
一実施例において、知的制御装置１は、主に、オン／オフ情報の差分（瞬間差分）が第１定量よりも大きく、圧力情報の差分（瞬間差分）が第２定量よりも大きく、且つ、単位時間当たりのＣＯ２含有量情報が第３定量よりも大きくなると、フィールドに入った人間がいると判断して、空調機器２を起動するように制御する。これら第１定量、第２定量および第３定量は、起動スケジュールにそれぞれ記録されるものである。
【００９６】
例えば、この起動スケジュールは、時間に基づいて複数の等分に区分することができる。具体的に、１日は２４時間、１時間は６０分であるが、２０分を１等分として区分すれば、起動スケジュールを７２等分に区分することができる。この場合、起動スケジュールに、１等分ごとに、１つの第１定量、１つの第２定量および１つの第３定量を対応させて記録することができる。すなわち、１等分ごとの第１定量、第２定量および第３定量は、相互に異なる可能性があるものといえる。
知的制御装置１は、上記ステップＳ５０２において、まず、現在の時間を確認し、現在の時間に基づいて、起動スケジュールにおける（記録された）対応する等分を取得して、等分中の第１定量、第２定量および第３定量を導出した後、環境情報と照合する。
【００９７】
知的制御装置１は、ステップＳ５０４において、空調機器２をオンする必要があると判断すると、知的制御装置１は対応する制御命令を生成して（ステップＳ５０６）、当該制御命令に基づいて起動するように空調機器２を制御する（ステップＳ５０８）。
【００９８】
一方、知的制御装置１は、ステップＳ５０４において、空調機器２をオンする必要がないと判断すると、さらに、利用者５１の手動制御操作、例えば、手動制御インターフェイス１２によって入力された空調機器２を起動するための操作が受付けられたか否かを判断する（ステップＳ５１０）。
知的制御装置１は、受付けられなかったと判断すると、ステップＳ５００へ戻り、空調機器２をオンする必要があるか否かを判断し続ける制御を行うようになっている。
【００９９】
一方、知的制御装置１は、ステップＳ５１０において受付けられたと判断すると、起動スケジュールに記録される、これらの定量に誤差が生じ、空調機器２をオンする必要があるかを正確に判断できない（すなわち、フィールドに入った人間がいるかを正確に判断できない）。
このため、知的制御装置１は、クラウドサーバー６に対して、利用者５１によって手動制御操作が入力された前後における一定期間内の環境情報および制御命令をアップロードする（ステップＳ５１２）。
そして、クラウドサーバー６は、起動スケジュールにおける各等分でのこれらの定量を更新した後、当該更新した情報を知的制御装置１に転送する（ステップＳ５１４）。この場合、知的制御装置１は、まず、手動制御操作に基づいて制御命令を生成し、空調機器２を制御することになる。
【０１００】
なお、クラウドサーバー６によって起動スケジュールが更新された場合（主に、クラウドサーバー６内における起動スケジュールの更新）、クラウドサーバー６は、知的制御装置１にすぐに転送することなく、一定の回数だけ更新した後に、すなわち、利用者５１が手動制御操作を複数回だけ入力（行った）後に、知的制御装置１に転送して知的制御装置１に記録されている起動スケジュールを更新してよい。
【０１０１】
次に、本発明に係る具体的な第３実施例の変形例を、図８を参照して説明する。図８は、知的制御装置１が制御命令によって空調機器２のモードを自動的に切替える場合を示す制御フローである。
【０１０２】
知的制御装置１は、まず、環境情報を取得して（ステップＳ６００）、予め作成された温度スケジュールを検索する（ステップＳ６０２）。
次に、知的制御装置１は、同時にクラウドサーバー６からクラウド温度記録を取得して（ステップＳ６０４）、さらに、環境情報、温度スケジュールおよびクラウド温度記録に基づいて空調機器２のモードを調整する必要があるかを判断する（ステップＳ６０６）。
【０１０３】
本実施例では、環境情報には、主に、室内温度、室内湿度、圧力情報などが含まれる。クラウド温度記録は、クラウドサーバー６側で記録されているフィールドにおける温度記録であって、過去（例えば去年）の同一期間内におけるフィールドの履歴温湿度データを有していてもよい。
また、温度スケジュールは、知的制御装置１に予め作成（記憶）されており、且つ時間に基づいて複数の等分に区分されている。この点については、上記起動スケジュールと同じ考え方である。ここで、温度スケジュールには、１等分ごとに１つの初期化温湿度データが対応して記録されており、１等分ごとの初期化温湿度データは、相互に異なる可能性があるものである。
【０１０４】
知的制御装置１は、主に、現在の時間を確認し、現在の時間に基づいてクラウド温度記録から対応する履歴温湿度データを取得する。そして、温度スケジュールを検索して対応する初期化温湿度データを取得して、例えば、５０％に予め設定された履歴温湿度データと、例えば、５０％に予め設定された初期化温湿度データとに基づいて判定起動冷房温度、判定起動暖房温度、判定起動除湿湿度、判定起動加湿湿度、判定オフ冷房湿度および判定オフ暖房湿度などといった判定温湿度等の判定データを算出する。
【０１０５】
知的制御装置１は、上記ステップＳ６０６において、まず、上記したこれらの判定データを算出して、環境情報とこれらの判定データとの照合結果が複数の切替え条件のうちの１つに該当する場合、空調機器２のモードを調整する必要があると判断する。空調機器２のモードを調整する必要があると判断する場合、知的制御装置１は、該当する切替え条件に基づいて対応する制御命令を生成し（ステップＳ６０８）、且つ制御命令に基づいてモードを切替えるように空調機器２を制御する（ステップＳ６１０）。
【０１０６】
本実施例では、室内温度が判定起動冷房温度よりも大きいと、起動冷房条件に該当し、判定起動暖房温度が室内温度よりも小さく且つ判定起動冷房温度よりも小さいと、起動送風条件に該当するようになる。また、室内温度が判定起動暖房温度よりも小さいと、起動暖房条件に該当し、室内湿度が判定起動除湿湿度よりも大きいと、起動除湿条件に該当するようになる。さらに、室内湿度が判定起動加湿湿度よりも小さくと、起動加湿条件に該当し、室内湿度が判定オフ冷房湿度よりも小さくなると、オフ冷房湿度条件に該当するようになる。また、室内湿度が判定オフ暖房湿度よりも大きくなると、オフ暖房湿度条件に該当する。なお、これらの条件は、本発明の好ましい具体的な実施例にすぎず、これに限定されない。
【０１０７】
知的制御装置１は、ステップＳ６０６において、空調機器２のモードを切替える必要がないと判断すると、利用者５１の手動調整操作、例えば、手動制御インターフェイス１２によって入力された空調機器２のモードを調整するための操作が受付けられたか否かを判断する（ステップＳ６１２）。
知的制御装置１は、ステップＳ６１２において受付けられなかったと判断すると、ステップＳ６００へ戻り、空調機器２のモードを調整する必要があるか否かを判断し続ける制御を行う。
【０１０８】
知的制御装置１は、ステップＳ６１２において、受付けられたと判断すると、温度スケジュールに記録される、これらの初期化温湿度に誤差が生じ、空調機器２のモードを切替える必要があるか否かを正確に判断することができない。
このため、知的制御装置１は、クラウドサーバー６に対して、利用者５１によって手動調整操作が入力された前後における一定期間内の環境情報および制御命令をアップロードする（ステップＳ６１４）。
そして、クラウドサーバー６は、温度スケジュールにおける各等分でのこれらの初期化温湿度データを動的に更新した後、当該更新したデータを知的制御装置１に転送する（ステップＳ６１６）。この場合、知的制御装置１は、まず、手動調整操作に基づいて制御命令を生成し、空調機器２を制御することになる。
【０１０９】
なお、温度スケジュールの検索および更新の方法は、上記起動スケジュールと類似しているため、その説明を省略する。
【０１１０】
次に、本発明に係る具体的な第４実施例の制御方法を、図９を参照して説明する。図９は、知的制御装置１が制御命令によって空調機器２の風速を自動的に調整する制御フロー（第４実施例の制御方法を示すフローチャート）である。
【０１１１】
図９に示すように、知的制御装置１は、まず、環境情報を取得し（ステップＳ７００）、環境情報に基づいて予め作成された温度・風速照合テーブルおよびＣＯ２濃度・風速照合テーブルを検索する（ステップＳ７０２）。
本実施例では、環境情報は、主に、室内温度、ＣＯ２含有量情報、ＰＭ２．５含有量情報およびＴＶＯＣ含有量情報などが含まれているが、これに限定されない。
知的制御装置１は、ステップＳ７０２において、主に、環境情報と、温度・風速照合テーブルおよびＣＯ２濃度・風速照合テーブルと照合して、空調機器２の風速を調整する必要があるか否かを判断する（ステップＳ７０４）。
【０１１２】
一実施例において、知的制御装置１は、主に、これらビーコン装置３１によって検出された温度と、室内環境検出ユニット１０によって検出された温度との温度差が、所定の予定値よりも大きくなると（これは、フィールド内の環境温度が均一でないことを意味する）、空調機器２の風速を上げるように制御する。
一方、複数のビーコン装置３１によって検出された温度と、室内環境検出ユニット１０によって検出された温度との温度差が、小さくなると、空調機器２の風速を下げるように制御する。
他の実施例において、知的制御装置１は、複数のビーコン装置３１によって検出された温度と、予定達成温度との温度差が、上記予定値よりも大きくなると、空調機器２の風速を上げる一方、予定達成温度との温度差が小さくなると、空調機器２の風速を下げることも可能である。
【０１１３】
知的制御装置１は、ステップＳ７０４において、主に、これら検出装置３によって検出された温度との温度差に基づいて温度・風速照合テーブルを検索して、空調機器２の風速を調整する必要があるか否かを判断する。
ここで、温度差と風速との対応データは、温度・風速照合テーブル（例えば、温度差が３°Ｃよりも大きくなると、風速をＭｉｄｄｌｅに切替え、５°Ｃよりも大きくなると、風速をＨｉｇｈに切替えることが記録されたテーブル）に記録されている。なお、温度・風速照合テーブルは、上記起動スケジュールおよび温度スケジュールと類似しているため、その説明を省略する。
【０１１４】
また、他の実施例において、知的制御装置１は、室内環境検出ユニット１０によって検出されたＣＯ２含有量が高くなると、空調機器２の風速を上げる一方、ＣＯ２含有量が低くなると、空調機器２の風速を下げるように制御することも可能である。ここで、ＣＯ２含有量と風速との対応データは、ＣＯ２濃度と風速照合テーブルに記録されている。ＣＯ２濃度・風速照合テーブルは、上記温度・風速照合テーブルと類似しているため、その説明を省略する。
【０１１５】
さらに他の実施例において、知的制御装置１は、室内環境検出ユニット１０によって検出されたＰＭ２．５含有量やＴＶＯＣ含有量が高すぎると、空調機器２の風速を上げて室内空気循環量を増大させ、空気清浄機能の起動フラグを１に設定して、室内空気が空調機器２のフィルターを通る回数を多くすることも可能である。ここで、ＰＭ２．５含有量やＴＶＯＣ含有量と風速との対応データは、ＣＯ２濃度・風速照合テーブルに記録されている。
知的制御装置１は、ステップＳ７０４において、空調機器２の風速を調整する必要があると判断すると、調整するのに必要な風速に基づいて対応する制御命令を生成して（ステップＳ７０６）、制御命令に基づいて風速を調整するように空調機器２を制御する（ステップＳ７０８）。
【０１１６】
知的制御装置１は、例えば、温度差、ＣＯ２含有量およびＰＭ２．５含有量の何れが同時に高すぎるような場合（上記した状況が同時に発生された場合）、温度・風速照合テーブルおよびＣＯ２濃度・風速照合テーブルを検索した後、複数組の同一または異なる風速を得るとともに複数組の風速に基づいて制御命令を生成する。例えば、温度差が高すぎる場合における第１風速、ＣＯ２含有量が高すぎることによる第２風速、および、ＰＭ２．５含有量が高すぎることによる第３風速を、それぞれ得る。この場合、知的制御装置１は、複数の風速を同時に参照して、例えば、「第１風速×３０％」＋「第２風速×３０％」＋「第３風速×４０％」といったように制御命令を生成する。なお、これは、本発明の好ましい具体的な実施例にすぎず、これに限定されない。
【０１１７】
知的制御装置１は、ステップＳ７０４において、空調機器２の風速を調整する必要がないと判断すると、利用者５１の手動調整操作、例えば、手動制御インターフェイス１２によって入力された空調機器２の風速を調整するための操作が受付けられたか否かを判断する（ステップＳ７１０）。
一方、知的制御装置１は、ステップＳ７１０において受付けられなかったと判断すると、ステップＳ７００へ戻り、空調機器２の風速を調整する必要があるかを判断し続ける制御を行う。
【０１１８】
知的制御装置１は、ステップＳ７１０において、受付けられたと判断すると、温度・風速照合テーブルおよび／又はＣＯ２濃度・風速照合テーブルに記録されているデータに誤差が生じ、空調機器２の風速を調整する必要があるか否かを正確に判断できない。
このため、知的制御装置１は、クラウドサーバー６に対して、利用者５１によって手動調整操作が入力された前後における一定期間内の環境情報および制御命令をアップロードする（ステップＳ７１２）。
そして、クラウドサーバー６は、温度・風速照合テーブルおよび／又はＣＯ２濃度・風速照合テーブルを動的に更新した後、当該更新したテーブルを知的制御装置１に転送する（ステップＳ７１４）。この場合、知的制御装置１は、まず、手動調整操作に基づいて制御命令を生成し、空調機器２を制御することになる。
【０１１９】
次に、本発明に係る具体的な第５実施例の制御方法を、図１０を参照して説明する。図１０は、知的制御装置１が制御命令によって空調機器２の風吐出方向を自動的に調整する制御フロー（第５実施例の制御方法を示すフローチャート）である。
【０１２０】
図１０に示すように、知的制御装置１は、まず、環境情報を取得して（ステップＳ８００）、環境情報に基づいてフィールド内における環境温度が均一であるか否かを判断する（ステップＳ８０２）。
具体的に、知的制御装置１は、室内環境検出ユニット１０、複数のビーコン装置３１および温度検出ユニット４０からフィールド内における各エリアの温度をそれぞれ取得して、各エリアの温度の温度差に基づいてフィールド内の環境温度が均一であるか否かを判断する。
知的制御装置１は、ステップＳ８０２において、均一であると判断すると、現在の時間当たりの百分率（比率、以下、「時間比率」と称す）に基づいて、風吐出方向を調整するように空調機器２を制御する（ステップＳ８０４）。
【０１２１】
本実施例において、空調機器２の風吐出方向は、（複数の方向に対応する）複数の等分（例えば、各方向の時間比率が同一）に区分されてもよいものである。例えば、５等分（左、左寄り、中央、右寄り、右の５つの方向に対応する）に区分すれば、１等分ごとの時間比率は２０％となる。
知的制御装置１は、各等分の時間比率に基づいて、各方向に向ける空調機器２の時間の長さを制御するように制御することも可能である。
知的制御装置１は、ステップＳ８０２においてフィールド内における環境温度が均一であると判断すると、空調機器２に対して、風吐出方向が均一となるように調整する制御を行う（ステップＳ８０４、例えば１方向ごとは５秒である）。
【０１２２】
知的制御装置１は、ステップＳ８０４において均一でないと判断すると、温度が高い特定エリアの位置を確認（判断）して（ステップＳ８０６）、エリアの風吐出方向に対応する時間比率を調整する（例えば、２０％から３０％に向上させる、ステップＳ８０８）。
そして、知的制御装置１は、さらに、調整された時間比率に基づいて対応する制御命令を生成して（ステップＳ８１０）、制御命令に基づいて風吐出方向を調整するように空調機器２を制御する（ステップＳ８１２）。なお、知的制御装置１は、何れかの風吐出方向の時間比率を向上させるような場合、各風吐出方向の時間比率の総計を１００％に維持する必要あるため、他の風吐出方向の時間比率を同時に低減させるようになっている。
【０１２３】
以上、本発明の好ましい具体的な実施例を説明したが、これによって本発明の特許請求の範囲が限定されるものではない。また、本発明の内容を応用してなされる等価な変更は、すべて本発明の範囲に含まれることはいうまでもない。
【符号の説明】
【０１２４】
１…知的制御装置
１０…室内環境検出ユニット
１１…制御アルゴリズム
２…空調機器
３…検出装置
３１…ビーコン装置
３１０…温湿度センサー
３２…利用者情報検出携帯装置
３３…室外環境検出装置
４…計器機器
４０…温度検出ユニット
５…環境空間
５１…利用者
５２…ビル
６…クラウドサーバー
【図１】
0006025936.tif 000002
【図２Ａ】
0006025936.tif 000003
【図２Ｂ】
0006025936.tif 000004
【図３】
0006025936.tif 000005
【図４Ａ】
0006025936.tif 000006
【図４Ｂ】
0006025936.tif 000007
【図５】
0006025936.tif 000008
【図６】
0006025936.tif 000009
【図７】
0006025936.tif 000010
【図８】
0006025936.tif 000011
【図９】
0006025936.tif 000012
【図１０】
0006025936.tif 000013